(57)【特許請求の範囲】
【請求項１】
並列に配置された複数のコンタクト室（３）を有するコンタクトケーシング（２）と、
実装方向（６）でそれぞれ前記コンタクト室（３）へ挿入可能であり、かつ、法線力方向（１２）で対向コンタクト面に当接するコンタクト面（１１）をそれぞれ有する、複数のコンタクトエレメント（４）と
を備えている、
対向コンタクト面への直接の電気コンタクト形成のためのコンタクト装置（１）において、
前記コンタクトエレメント（４）は、前記実装方向（６）に対する横断方向と前記法線力方向（１２）に対する横断方向とに延在する２つの貫通孔（１３，１６）を有しており、
挿入された前記コンタクトエレメント（４）は、引き出し阻止または脱落防止のために、前記コンタクトケーシング（２）内で第１の貫通孔（１３）によって１次係止され、第２の貫通孔（１６）によって２次ロックされる
ことを特徴とするコンタクト装置。
【請求項２】
前記２つの貫通孔（１３，１６）は、前記実装方向（６）に対する横断方向と前記法線力方向（１２）に対する横断方向とにそれぞれ延在する、請求項１記載のコンタクト装置。
【請求項３】
前記コンタクト室（３）の室壁（７）の少なくとも一部はそれぞれ前記コンタクト室（３）内へ突出する槍状係止部材（８）として構成されており、該槍状係止部材は挿入された前記コンタクトエレメント（４）の前記第１の貫通孔（１３）に嵌合する、請求項１または２記載のコンタクト装置。
【請求項４】
挿入された前記コンタクトエレメント（４）は、１列に並んで配置された複数のコンタクトエレメント（４）の前記第２の貫通孔（１６）を通って嵌合する棒状ロック部材（１４）によって２次ロックされている、請求項１から３までのいずれか１項記載のコンタクト装置。
【請求項５】
前記コンタクトエレメント（４）は平面状コンタクト（９）として構成されている、請求項１から４までのいずれか１項記載のコンタクト装置。
【請求項６】
前記コンタクトエレメント（４）は金属板から一体構造で成形されている、請求項１から５までのいずれか１項記載のコンタクト装置。
【請求項７】
前記コンタクト装置（４）は前記コンタクトケーシング（２）の開放されたコンタクト室（３）内で付加的に固定されている、請求項１から６までのいずれか１項記載のコンタクト装置。
【請求項８】
前記対向コンタクト面は、プリント回路板上の対向コンタクト面である、請求項１から７までのいずれか１項記載のコンタクト装置。
【発明の詳細な説明】
【技術分野】
【０００１】
本発明は、請求項１の上位概念に記載されている、対向コンタクト面（特にプリント回路板上の対向コンタクト面）への直接の電気的コンタクトを形成するためのコンタクト装置に関する。
【０００２】
制御装置は、たいていの場合、上部に電子デバイスを配設したプリント回路板と、ケーシングとから成っている。機関制御装置では、プリント回路版上に、ふつう、ケーブルツリーコネクタとプリント回路板との間の電気的接続を形成するためのスライドコンタクトが実装される。このように、制御装置を実装する際のスライドコンタクトは付加的な構成要素である。
【０００３】
冒頭に言及した直接の電気的コンタクトとしては、スライドコンタクトを省略して、ケーブルツリーの個々の端子を直接にプリント回路板へ接触させる方式も知られている。このために、プリント回路板には電気コンタクト面（ランド）が設けられ、この電気コンタクト面は、ケーブルツリーコネクタのコンタクトケーシングへ差し込まれることからダイレクトプラグインコンタクトとも称されるコンタクトエレメントによって接続される。たいていの場合、コンタクト面は内側へ向かって、すなわち、法線力方向で、コンタクトエレメントのばねコンタクト片によって接続される。コンタクトエレメントの輪郭からの突起は、コンタクトケーシング内でのコンタクトエレメントの係止もしくはロックに用いられるが、密閉のために設けられるゴムマットシールにコンタクトエレメントを通す実装過程においては邪魔になる。
【０００４】
ここから、本発明の課題は、冒頭に言及した形式のコンタクト装置において、コンタクトエレメントの輪郭からの突起なしで、コンタクトエレメントをコンタクトケーシング内で確実に係止またはロックできるようにすることである。
【０００５】
本発明の利点
この課題は、本発明により、請求項１の特徴を有する、直接の電気的コンタクトを形成するためのコンタクト装置によって解決される。
【０００６】
本発明によれば、コンタクトエレメントは、挿入されたコンタクトエレメントを実装方向に対向するようにコンタクトケーシングの室内に係止および／またはロックするための１つまたは２つの貫通孔を有している。挿入されたコンタクトエレメントの引き出しの阻止に加え、プリント回路板へ向かってコンタクト室が開放されている場合のコンタクトエレメントの脱落の防止も達成される。貫通孔による係止またはロックは、貫通孔に嵌合する係止鉤による１次ロックとして、または、並列に配置された複数のコンタクトエレメントの全ての貫通孔を通した棒状ロック部材による２次ロックとして行われる。コンタクトエレメントが２つの貫通孔を有する場合、コンタクトエレメントは第１の貫通孔によって１次係止され、第２の貫通孔によって２次ロックされる。
【０００７】
本発明のコンタクトエレメントは輪郭から突出する係止用突起を有さないので、例えば、密閉のために設けられるゴムマットシールにコンタクトエレメントを通す実装過程においても邪魔な部分が存在しない。
【０００８】
本発明のさらなる利点および実施形態は、以下の説明、図面および特許請求の範囲に記載されている。
【０００９】
以下に、本発明を図示の２つの実施例に則して詳細に説明する。
【図面の簡単な説明】
【００１０】
【図１】本発明のコンタクト装置の第１の実施例の概略図であって、Ａはまだコンタクトケーシングへ挿入されていない状態を示す図、Ｂはコンタクトケーシングへ挿入されて個別の係止が行われている状態を示す図である。
【図２】図１のコンタクトエレメントの側面図である。
【図３】本発明のコンタクト装置の第２の実施例の概略図であって、コンタクトケーシングへ挿入されて各コンタクトエレメントの全体係止が行われている状態を示す図である。
【図４】図２に比べて修正されたコンタクトエレメントの側面図である。
【００１１】
実施例の説明
図１のＡ，Ｂに示されているコンタクト装置１は、並列に配置された複数のコンタクト室３を有する（例えばケーブルツリーコネクタの）コンタクトケーシング２と複数のコンタクトエレメント４とを有する。各コンタクトエレメント４はそれぞれ室開口５を介して実装方向６でコンタクト室３へ挿入可能である。ダイレクトプラグインコンタクトとも称されるコンタクトエレメント４は、（図示されていない）対向コンタクト面、特にプリント回路板上のコンタクト面（ランド）への直接の電気的接続を形成するために用いられる。コンタクト室３の室壁７は、実装方向６に対向するように、すなわち、室開口５へ向かう方向に突出する槍状係止部材８を有するように構成されている。この槍状係止部材８は係止鉤８ａの箇所でコンタクト室３内へ突出している。
【００１２】
図２に示されているように、コンタクトエレメント４は平坦な金属板打ち抜き部材（平面状コンタクト）９として構成されており、そこに、ケーブルツリー（ケーブルワイヤ）の電気線路１０がはんだ付けまたは溶接またはクランプ止めされている。コンタクトエレメント４は、例えば金属板打ち抜き部材のエッジによって形成され、法線力方向１２で対向コンタクト面に当接するコンタクト面１１を有する。コンタクトエレメント４はさらに実装方向６に対する横断方向と法線力方向１２に対する横断方向とに延在する貫通孔１３を有する。図示されている円形の開口断面でなく、他の形状の開口断面であってもよい。対向コンタクト面へのコンタクト形成に必要なコンタクトエレメント４の法線力ＦＮは、コンタクト面１１のばね状の構成（例えばコンタクトばねとしての構成、もしくは、図２に示されているような弾性リング状部材としての構成）によって、または、コンタクト室３内の付加的なばねによって、作用する。
【００１３】
図１のＢに示されているように、コンタクト室３に挿入されているコンタクトエレメント４は、それぞれ、コンタクトエレメント４の貫通孔１３に嵌合し、実装方向６に対向するようにコンタクトエレメント４を支持する槍状係止部材８によって係止されている。室壁７の一部が当該槍状係止部材８となるように構成されているので、隣室の実装において不完全に実装されたコンタクト室３は発生する大きな実装力によって識別可能となる。これは、貫通孔１３内へ入り込まない槍状係止部材８によって、隣のコンタクトエレメント４が別のコンタクトエレメントの室へ進入することが防止されるからである。
【００１４】
図３に示されているコンタクト装置１では、相互に隣接して配置されている複数のコンタクト室３に挿入された各コンタクトエレメント４が、実装方向６に対向するように、棒状ロック部材１４によってロックされている。この棒状ロック部材１４は１列に並んで配置されたコンタクトエレメント４の貫通孔１３を所定の方向１５で通って嵌合する。これにより、挿入されたコンタクトエレメント４は実装方向６に対向するように支持される。
【００１５】
図４のコンタクトエレメント４は、図２のコンタクトエレメント４と、実装方向６に対する横断方向と法線力方向１２に対する横断方向とに延在する第２の貫通孔１６を有する点で異なる。図４のコンタクトエレメント４は、コンタクト室３において、実装方向６に対向するように、第１の貫通孔１３による１次係止および第２の貫通孔１６による２次ロックの双方により、係止される。
【００１６】
各コンタクトエレメント４は、開放されたコンタクトケーシング２のコンタクト室３において、例えば別個の１次係止部もしくは２次ロック部により、実装方向６に対向するようにいっそう確実に固定される。
【図１Ａ】
0005661946.tif 000002
【図１Ｂ】
0005661946.tif 000003
【図２】
0005661946.tif 000004
【図３】
0005661946.tif 000005
【図４】
0005661946.tif 000006